(57)【要約】【課題】操作部材が意に反してスライドして、その操作部材と連動する他部品が作動することによる不都合を避けることができる印鑑ホルダーを提供する。【解決手段】支持部材に操作部材が上下方向へスライドしうるように組み付けられ、上記支持部材の内部に印鑑収納部材が上記操作部材と連動しうるように収容され、上記操作部材の下動により、上記印鑑収納部材の下方に配された朱肉保持部材が側方へ突出するとともに、上記印鑑収納部材に保持された印鑑が下動して捺印しうるように構成された印鑑ホルダーにおいて、上記操作部材が下動する前の状態で、スライドすることにより上記支持部材に対し上記印鑑収納部材の下動を阻止しうるロック装置を設ける。また、上記朱肉保持部材が側方へ突出した状態を固定しうるロック装置を設ける。【選択図】        図５
2004284031.tif 000002
【特許請求の範囲】
【請求項１】
支持部材に操作部材が上下方向へスライドしうるように組み付けられ、上記支持部材の内部に印鑑収納部材が上記操作部材と連動しうるように収容され、上記操作部材の下動により、上記印鑑収納部材の下方に配された朱肉保持部材が側方へ突出するとともに、上記印鑑収納部材に保持された印鑑が下動して捺印しうるように構成された印鑑ホルダーにおいて、
上記操作部材が下動する前の状態で、スライドすることにより上記支持部材に対し上記印鑑収納部材の下動を阻止しうるロック装置が設けられたことを特徴とする印鑑ホルダー。
【請求項２】
支持部材に操作部材が上下方向へスライドしうるように組み付けられ、上記支持部材の内部に印鑑収納部材が上記操作部材と連動しうるように収容され、上記操作部材の下動により、上記印鑑収納部材の下方に配された朱肉保持部材が側方へ突出するとともに、上記印鑑収納部材に保持された印鑑が下動して捺印しうるように構成された印鑑ホルダーにおいて、
上記朱肉保持部材が側方へ突出した状態を固定しうるロック装置が設けられたことを特徴とする印鑑ホルダー。
【請求項３】
上記ロック装置は、上記操作部材が下動する前の状態においても、上記支持部材に対し上記印鑑収納部材の下動を阻止しうるように形成されていることを特徴とする請求項２記載の印鑑ホルダー。
【請求項４】
上記ロック装置は、ロック部材と、そのロック部材がスライドしうるように嵌合するロック部材ガイド部とから成り、そのロック部材ガイド部は、上記ロック部材が上下方向に移動しうる縦向ガイド部と、その縦向ガイド部に対し上記ロック部材が横方向にスライドして嵌入することにより上記ロック部材の上下方向の移動を阻止しうる横向ガイド部とを有していることを特徴とする請求項１、２又は３記載の印鑑ホルダー。
【請求項５】
上記ロック部材ガイド部は、上記縦向ガイド部の上下２箇所に横向ガイド部が形成されていて、その上側の横向ガイド部は、上記操作部材が下動する前の状態で上記ロック部材が嵌入することにより、上記支持部材に対し上記印鑑収納部材の下動を阻止しうるように形成され、又、下側の横向ガイド部は、上記操作部材が下動することにより上記朱肉保持部材が側方へ突出した状態で上記ロック部材が嵌入することにより、上記朱肉保持部材が側方へ突出した状態を固定しうるように形成されていることを特徴とする請求項３又は４記載の印鑑ホルダー。
【請求項６】
上記ロック部材ガイド部は溝状に形成されていることを特徴とする請求項４又は５記載の印鑑ホルダー。
【請求項７】
上記ロック部材ガイド部は孔状に形成されていることを特徴とする請求項４又は５記載の印鑑ホルダー。
【請求項８】
上記ロック部材ガイド部は上記支持部材に形成されていることを特徴とする請求項４、５、６又は７記載の印鑑ホルダー。
【請求項９】
上記ロック部材ガイド部は上記操作部材に形成されていることを特徴とする請求項４、５、６又は７記載の印鑑ホルダー。
【請求項１０】
上記ロック部材ガイド部は上記印鑑収納部材に形成されていることを特徴とする請求項４、５、６又は７記載の印鑑ホルダー。
【請求項１１】
上記ロック部材が上記ロック部材ガイド部における横向ガイド部に位置する状態と、縦向ガイド部に位置する状態とで、それぞれ上記ロック部材を固定する係合部が設けられたことを特徴とする請求項４、５、６、７，８、９又は１０記載の印鑑ホルダー。
【請求項１２】
上記係合部として、上記ロック部材ガイド部にリブが形成されたことを特徴とする請求項１１記載の印鑑ホルダー。
【発明の詳細な説明】
【０００１】
【発明の属する技術分野】
本発明は印鑑ホルダーに関する。
【０００２】
【従来の技術】
従来、印鑑を使用する度にケースから取り出して朱肉を印面に付着させる煩雑のない印鑑ホルダーが存在する。
この種の印鑑ホルダーは、一般的に、支持部材の内部に印鑑収納部材が収容され、上記支持部材の外側に上記印鑑収納部材と連動して支持部材に対し上下方向へスライドしうるように操作部材が外装され、上記操作部材の下動により、上記印鑑収納部材の下方に配置された朱肉保持部材が回転して側方へ突出するとともに、上記印鑑収納部材に保持される印鑑も下動して捺印しうるように構成されている。
例えば、この種の印鑑ホルダーは、特許文献１、特許文献２又は特許文献３などにより公知である。
【０００３】
ところで、上記操作部材が意に反してスライドすると、その操作部材と連動する他部品も作動して不都合が生じる場合がある。したがって、操作部材を動かないように固定したい場合がある。例えば、操作部材が誤って押されて下方へスライドすると、朱肉保持部材が側方へ突出するとともに、印鑑収納部材に保持された印鑑が下動して印面が露出するので、衣服のポケットなどに入れて所持している場合は、その衣服がインクで汚れ、又、書類の上などに置いてある場合は、その用紙が同じくインクで汚れるという問題がある。
【０００４】
なお、本出願人は、操作部材が誤って押されてもスライドしないように、操作部材と支持部材をロックして固定するようにした印鑑ホルダーを先に出願しているが（特許文献４参照）、ロック装置として側面を内方へ押すロックボタンを使用している。しかしながら、上記のロックボタンは操作が判りにくく、又、ロック状態を確認しにくく、さらに、操作部材と支持部材に対し組み付けにくく、誤動作しやすいという不満がある。
【０００５】
【特許文献１】
実開平５−９１８５８号公報
【特許文献２】
特開２００２−３１６４６８号公報
【特許文献３】
特開平９−３１４９７７号公報
【特許文献４】
特開２００２−１６０４３６号公報
【０００６】
また、朱肉がインク切れして、インクを補充したり、朱肉を交換する場合などは、上記朱肉保持部材を側方へ突出させた状態で行なうことになるが、このようなときに、上記操作部材がスライドして上記朱肉保持部材が動くと、そのインク補充や朱肉交換が困難になり、又、朱肉交換の際に、朱肉が手に触れて手がインクで汚れるという問題もある。
【０００７】
【発明が解決しようとする課題】
本発明は、操作部材が意に反してスライドして、その操作部材と連動する他部品が作動することによる不都合を避けることができる印鑑ホルダーの提供を課題とする。
【０００８】
【課題を解決するための手段】
上記課題を解決するために、本発明の印鑑ホルダーは、支持部材に操作部材が上下方向へスライドしうるように組み付けられ、上記支持部材の内部に印鑑収納部材が上記操作部材と連動しうるように収容され、上記操作部材の下動により、上記印鑑収納部材の下方に配された朱肉保持部材が側方へ突出するとともに、上記印鑑収納部材に保持された印鑑が下動して捺印しうるように構成された印鑑ホルダーにおいて、上記操作部材が下動する前の状態で、スライドすることにより上記支持部材に対し上記印鑑収納部材の下動を阻止しうるロック装置が設けられたことを特徴とするものである。
【０００９】
また、本発明の印鑑ホルダーは、支持部材に操作部材が上下方向へスライドしうるように組み付けられ、上記支持部材の内部に印鑑収納部材が上記操作部材と連動しうるように収容され、上記操作部材の下動により、上記印鑑収納部材の下方に配された朱肉保持部材が側方へ突出するとともに、上記印鑑収納部材に保持された印鑑が下動して捺印しうるように構成された印鑑ホルダーにおいて、上記朱肉保持部材が側方へ突出した状態を固定しうるロック装置が設けられたことを特徴とするものである。
【００１０】
また、上記ロック装置は、上記操作部材が下動する前の状態においても、上記支持部材に対し上記印鑑収納部材の下動を阻止しうるように形成されているものとすることができる。
【００１１】
また、上記ロック装置は、ロック部材と、そのロック部材がスライドしうるように嵌合するロック部材ガイド部とから成り、そのロック部材ガイド部は、上記ロック部材が上下方向に移動しうる縦向ガイド部と、その縦向ガイド部に対し上記ロック部材が横方向にスライドして嵌入することにより上記ロック部材の上下方向の移動を阻止しうる横向ガイド部とを有しているものとすることができる。
【００１２】
また、上記ロック部材ガイド部は、上記縦向ガイド部の上下２箇所に横向ガイド部が形成されていて、その上側の横向ガイド部は、上記操作部材が下動する前の状態で上記ロック部材が嵌入することにより、上記支持部材に対し上記印鑑収納部材の下動を阻止しうるように形成され、又、下側の横向ガイド部は、上記操作部材が下動することにより上記朱肉保持部材が側方へ突出した状態で上記ロック部材が嵌入することにより、上記朱肉保持部材が側方へ突出した状態を固定しうるように形成されているものとすることができる。
【００１３】
また、上記ロック部材ガイド部は溝状に形成されているものとすることができる。
【００１４】
また、上記ロック部材ガイド部は孔状に形成されているものとすることができる。
【００１５】
また、上記ロック部材ガイド部は上記支持部材に形成されているものとすることができる。
【００１６】
また、上記ロック部材ガイド部は上記操作部材に形成されているものとすることができる。
【００１７】
また、上記ロック部材ガイド部は上記印鑑収納部材に形成されているものとすることができる。
【００１８】
また、上記ロック部材が上記ロック部材ガイド部における横向ガイド部に位置する状態と、縦向ガイド部に位置する状態とで、それぞれ上記ロック部材を固定する係合部が設けられたものとすることができる。
【００１９】
また、上記係合部として、上記ロック部材ガイド部にリブが形成されたものとすることができる。
【００２０】
【発明の実施の形態】
以下、添付した図面を用いて本発明の実施の形態について説明する。まず、図１乃至図１３に示した実施形態について説明する。
本実施の形態に係る印鑑ホルダー３５は、支持部材３に操作部材１が上下方向へスライドしうるように組み付けられ、上記支持部材３の内部に印鑑収納部材１５が上記操作部材１と連動しうるように収容され、上記操作部材１の下動により、上記印鑑収納部材１５の下方に配された朱肉保持部材１２が側方へ突出するとともに、上記印鑑収納部材１５に保持された印鑑１９が下動して捺印しうるように構成されていて、上記操作部材１が下動する前の状態で、スライドすることにより上記支持部材３に対し上記印鑑収納部材１５の下動を阻止しうるロック装置３０が設けられている。
また、上記印鑑ホルダー３５は、支持部材３に操作部材１が上下方向へスライドしうるように組み付けられ、上記支持部材３の内部に印鑑収納部材１５が上記操作部材１と連動しうるように収容され、上記操作部材１の下動により、上記印鑑収納部材１５の下方に配された朱肉保持部材１２が側方へ突出するとともに、上記印鑑収納部材１５に保持された印鑑１９が下動して捺印しうるように構成されていて、上記朱肉保持部材１２が側方へ突出した状態を固定しうるロック装置３０が設けられている。
また、上記朱肉保持部材１２が側方へ突出した状態を固定しうるロック装置３０は、上記操作部材１が下動する前の状態においても、上記支持部材３に対し上記印鑑収納部材１５の下動を阻止しうるように形成されている。
また、上記ロック装置３０は、ロック部材３１と、そのロック部材３１がスライドしうるように嵌合するロック部材ガイド部４とから成り、そのロック部材ガイド部４は、上記ロック部材３１が上下方向に移動しうる縦向ガイド部５と、その縦向ガイド部５に対し上記ロック部材３１が横方向にスライドして嵌入することにより上記ロック部材３１の上下方向の移動を阻止しうる横向ガイド部６，７とを有している。
また、上記ロック部材ガイド部４は、上記縦向ガイド部５の上下２箇所に横向ガイド部６，７が形成されていて、その上側の横向ガイド部６は、上記操作部材１が下動する前の状態で上記ロック部材３１が嵌入することにより、上記支持部材３に対し上記印鑑収納部材１５の下動を阻止しうるように形成され、又、下側の横向ガイド部７は、上記操作部材１が下動することにより上記朱肉保持部材１２が側方へ突出した状態で上記ロック部材３１が嵌入することにより、上記朱肉保持部材１２が側方へ突出した状態を固定しうるように形成されている。
また、上記ロック部材ガイド部４は溝状又は孔状に形成されている。
また、上記ロック部材ガイド部４は上記支持部材３又は上記操作部材１又は上記印鑑収納部材１５に形成されている。
また、上記ロック部材３１が上記ロック部材ガイド部４における横向ガイド部６，７に位置する状態と、縦向ガイド部５に位置する状態とで、それぞれ上記ロック部材３１を固定する係合部が設けられている。
また、上記係合部として、上記ロック部材ガイド部４にリブ８，９，１０が形成されている。
【００２１】
次に、図１乃至図１３に示した実施形態について詳細に説明する。まず、上記操作部材１は、図１及び図２に示すように、上下両端を開口した上下方向に長い筒状に形成されている。この操作部材１には、図３に示すように、その側面部に横長のロック部材取付孔２が形成されている。
【００２２】
上記支持部材３は、図１及び図２に示すように、上下両端を開口した上下方向に長い筒状に形成されている。この支持部材３には、図４に示すように、その側面部における上半部に溝状のロック部材ガイド部４が形成されている。ここで、ロック部材ガイド部４が溝状に形成されているとは、図７ないし図９に示すように、支持部材３の片側の側面にロック部材ガイド部４が凹状に形成されていて、そのロック部材ガイド部４は支持部材３の内と外とを開通するものではないという意味である（以下、同じ）。このロック部材ガイド部４は上下方向に長い縦向ガイド部５と、その縦向ガイド部５の上端と下端にそれぞれ連続して形成され、側方へ向う横向ガイド部６，７とから構成されている。
【００２３】
また、図４に示すように、上記ロック部材ガイド部４における縦向ガイド部５と、横向ガイド部６，７とには、それぞれ上下方向のリブ８，９，１０が形成されている。
【００２４】
また、上記支持部材３は、図１及び図２に示すように、前面側の側面部における下端部に窓孔１１が設けられていて、その窓孔１１の上部の側縁部に朱肉保持部材１２が内外方向へ回転自在に取り付けられている。この朱肉保持部材１２には朱肉１３が装填されている。
【００２５】
上記操作部材１は、図１に示すように、上記支持部材３の外側に、上下方向へスライドしうるように被せられ、上記支持部材３との間にコイルバネ１４が介装されている。すなわち、上記操作部材１は上記支持部材３に対し上記コイルバネ１４によって上方へ付勢されている。したがって、上記操作部材１を上記支持部材３に対し下方へスライドさせてから、その操作部材１に対する押下力を除去すれば、操作部材１はコイルバネ１４の復元力により自動的に上方へ復帰する。
【００２６】
上記印鑑収納部材１５は、図１及び図２に示すように、上下両端を開口した筒状に形成されている。この印鑑収納部材１５には、前面側の側面部における下端部に歯部１６，１７が形成されている。
【００２７】
上記印鑑収納部材１５の内面部には、図１に示すように、「カツラ」と称される板バネ１８が装着されている。この板バネ１８は、上記印鑑収納部材１５の内部へ下端開口から挿入した印鑑１９を挟んで固定しうるようになっている。なお、上記印鑑１９には市販のものを使用可能である。
【００２８】
上記印鑑収納部材１５は、図１に示すように、上記支持部材３の内部に上下方向へスライドしうるように収納され、その上端部を上記支持部材３の上方へ突出させている。
【００２９】
上記印鑑収納部材１５は、調節ネジ２０を介して上記操作部材１に接続されて、上記操作部材１と連動するようになっている。すなわち、上記操作部材１の上端部に調節ネジ２０が回転自在に装着され、その調節ネジ２０のフック部２１に、上記印鑑収納部材１５のフック部２２が係止されることにより、上記印鑑収納部材１５と上記操作部材１が接続している。
【００３０】
また、上記調節ネジ２０には、回転止めされた可動ネジ２３が螺着されている。この可動ネジ２３は、上記調節ネジ２０を回転させることにより上下方向へ移動することができ、その下端面を上記印鑑１９の頭部に接触させている。
【００３１】
なお、上記調節ネジ２０の天面部にはコイン等を嵌入しうる溝２４が形成されている。すなわち、この溝２４にコイン等を差し込んで上記調節ネジ２０を回転させると、上記可動ネジ２３を上下方向へスライドさせることができる。そして、上記可動ネジ２３を下方へスライドさせると、その可動ネジ２３が印鑑１９を下方へ押して変位させる。したがって、上記調節ネジ２０を回転させて印鑑１９の印面２５の位置を調整することができる。
【００３２】
上記朱肉保持部材１２は、図１及び図２に示すように、朱肉皿部２６を有して、同所に上記のように朱肉１３を装填している。また、この朱肉保持部材１２には、上記印鑑収納部材１５に設けられた上記の歯部１６，１７と噛合しうる歯部２７，２８が形成されている。
【００３３】
上記朱肉保持部材１２は、上記支持部材３における窓孔１１に配置され、上記支持部材３に軸２９により内外方向へ回転しうるように取付けられるとともに、上記歯部２７，２８が上記印鑑収納部材１５の上記の歯部１６，１７に噛合しうるようになっている。
【００３４】
また、上記朱肉保持部材１２に装填された朱肉１３は、上記操作部材１が下方へスライドする前の状態では、図１に示すように、上記印鑑収納部材１５に保持された印鑑１９の下方を塞ぐように位置し、上記朱肉１３の表面は印鑑１９の印面２５と対面している。なお、印鑑１９の印面２５は朱肉１３の表面に初めから接触していてもいいが、最初は僅かに離れていて、上記印鑑収納部材１５が下方へスライドする最初の段階で接触するようにしてもよい。
【００３５】
図２に示すように、上記操作部材１を下方へスライドさせたときに、それと連動して上記印鑑収納部材１５が下方へスライドすると、その印鑑収納部材１５の歯部１６，１７によって上記朱肉保持部材１２の歯部２７，２８が押されて、上記朱肉保持部材１２は外部へ突出する方向へ略９０度回転する。すなわち、印鑑収納部材１５の歯部１６，１７と、上記朱肉保持部材１２の歯部２７，２８はカムの機能を有する。また、上記操作部材１が上方へスライドすると、上記朱肉保持部材１２は逆方向へ回転して元の状態に復元する。
【００３６】
上記ロック装置３０は、図５に示すように、上記支持部材３に形成されたロック部材ガイド部４と、ロック部材３１とによって構成されている。そのロック部材３１は、上記操作部材１に形成された上記ロック部材取付孔２に装着されている。このロック部材取付孔２は、上記ロック部材３１を、上記操作部材１に対し、上下方向に略直角な横方向にのみスライドさせるように形成されている。
【００３７】
上記ロック部材３１は、図７ないし図９に示すように、外面部が操作部材１の外に露出し、内端部が上記ロック部材ガイド部４に嵌入している。
【００３８】
上記ロック部材３１が、図８に示すように、上記ロック部材ガイド部４における縦向ガイド部５に位置するときは、上記支持部材３に対し上記操作部材１は上下方向へスライドすることができる。
【００３９】
また、上記ロック部材３１が、図７に示すように、上記ロック部材ガイド部４における横向ガイド部６，７に位置するときは、上記支持部材３に対し上記操作部材１は上下方向へスライドすることができない。
【００４０】
また、上記ロック部材３１が上記横向ガイド部６，７に位置するときは、そのロック部材３１の底面に形成された凹部３２が上記のリブ９，１０に係合し、又、上記ロック部材３１が上記縦向ガイド部５に位置するときは、上記凹部３２が上記リブ８に係合している。なお、上記ロック部材３１の凹部３２が上記リブ８、９，１０に係合する際に「カチッ」というクリック音が発生する。
【００４１】
上記ロック部材３１は、図１に示すように上記操作部材１が下動する前の状態で、図５に示すように、上記ロック部材ガイド部４の縦向ガイド部５の上端に連続するように設けた横向ガイド部６に嵌入することができるように、その横向ガイド部６の位置が設定されている。
【００４２】
また、上記ロック部材３１は、図２に示すように上記操作部材１が下動することにより上記朱肉保持部材１２が回転して側方へ突出した状態で、図６に示すように、上記ロック部材ガイド部４の縦向ガイド部５の下端に連続するように設けた横向ガイド部７に嵌入することができるように、横向ガイド部７の位置が設定されている。
【００４３】
図１の状態で、上記ロック部材３１を非ロック状態（上記ロック部材３１を上記ロック部材ガイド部４における縦向ガイド部５に位置させた状態）にして、上記支持部材３の下端面を捺印する用紙に当接し、上記操作部材１を下方へ押すと、その操作部材１と上記印鑑収納部材１５とが一緒に下方へスライドし、その印鑑収納部材１５の歯部１６，１７が上記朱肉保持部材１２の歯部２７，２８を押すことにより、その朱肉保持部材１２が回転して、図２に示すように側方へ突出する。これにより、印鑑収納部材１５の下方が開放され、そのまま印鑑収納部材１５を下動させれば印鑑１９の印面２５が用紙３３に接触して捺印が可能となる。
【００４４】
これに対し、上記操作部材１が下動する前の状態で、上記操作部材１を上記支持部材３に対しロックして（上記ロック部材３１をロック部材ガイド部４における縦向ガイド部５の上端に連続するように設けた横向ガイド部６に嵌入させた状態にする）固定すると、上記支持部材３に対し上記操作部材１が下方へスライドすることができなくなる。したがって、上記印鑑収納部材１５も下方へスライドすることができず、その印鑑収納部材１５に保持された印鑑１９の印面２５が露出しないので、その印面２５に付着したインクにより衣服、用紙等が汚れることがない。
【００４５】
また、上記ロック部材３１は、上記操作部材１が下動することにより上記縦向ガイド部５の下方へ移動するが、上記朱肉保持部材１２が回転して図２に示すように側方へ突出した状態で、上記ロック部材ガイド部４における縦向ガイド部５の下端に連続するように設けた横向ガイド部７へ嵌入させることにより、再び上記操作部材１を上記支持部材３に対しロックして固定することができる。この状態では、上記朱肉保持部材１２も上記操作部材１及び上記支持部材３の外部側方へ突出した状態を固定されるので、上記朱肉保持部材１２から上記朱肉１３を取り外しやすくなる。したがって、朱肉１３の交換や、朱肉１３に対するインク補充等が容易になる。
【００４６】
なお、上記実施形態では、ロック装置３０におけるロック部材ガイド部４を支持部材３に設けているが、操作部材１や印鑑収納部材１５に設けることも可能であり、その他の実施形態について図１０乃至図１３に示した概念図により説明する。
【００４７】
まず、図１０に示した実施形態では、上記実施形態と同様に、支持部材３にロック部材ガイド部４が設けられ、支持部材３と操作部材１とがロック部材３１により固定可能とされている。なお、ロック部材ガイド部４は、溝状ではなく孔状に形成されている。ここで、ロック部材ガイド部４が孔状に形成されているとは、図１０に示すように、ロック部材ガイド部４が支持部材３の内と外とを開通するように形成されているという意味である。なお、操作部材１と印鑑収納部材１５に孔状のロック部材ガイド部４を設ける場合も同じ意味である（以下、同じ）。
【００４８】
図１１に示した実施形態では、操作部材１にロック部材ガイド部４が設けられ、支持部材３と操作部材１とがロック部材３１により固定可能とされている。
【００４９】
図１２に示した実施形態では、支持部材３にロック部材ガイド部４が設けられ、支持部材３と印鑑収納部材１５とがロック部材３１により固定可能とされている。なお、操作部材１には窓孔３４ａが設けられている。
【００５０】
図１３に示した実施形態では、印鑑収納部材１５にロック部材ガイド部４が設けられ、支持部材３と印鑑収納部材１５とがロック部材３１により固定可能とされている。なお、操作部材１には上下方向に長い窓孔３４ｂが設けられている。
【００５１】
次に、図１４乃至図３１に示した実施の形態について説明する。本実施の形態に係る印鑑ホルダー４０は、支持部材４２に操作部材４１が上下方向へスライドしうるように組み付けられ、上記支持部材４２の内部に印鑑収納部材４４が上記操作部材４１と連動しうるように収容され、上記操作部材４１の下動により、上記印鑑収納部材４４の下方に配された朱肉保持部材４３が側方へ突出するとともに、上記印鑑収納部材４４に保持された印鑑５１が下動して捺印しうるように構成されていて、上記操作部材４１が下動する前の状態で、スライドすることにより上記支持部材４２に対し上記印鑑収納部材４４の下動を阻止しうるロック装置８１が設けられている。
また、上記印鑑ホルダー４０は、支持部材４２に操作部材４１が上下方向へスライドしうるように組み付けられ、上記支持部材４２の内部に印鑑収納部材４４が上記操作部材４１と連動しうるように収容され、上記操作部材４１の下動により、上記印鑑収納部材４４の下方に配された朱肉保持部材４３が側方へ突出するとともに、上記印鑑収納部材４４に保持された印鑑５１が下動して捺印しうるように構成されていて、上記朱肉保持部材４３が側方へ突出した状態を固定しうるロック装置８１が設けられている。
また、上記朱肉保持部材４３が側方へ突出した状態を固定しうるロック装置８１は、上記操作部材４１が下動する前の状態においても、上記支持部材４２に対し上記印鑑収納部材４４の下動を阻止しうるように形成されている。
また、上記ロック装置８１は、ロック部材８２と、そのロック部材８２がスライドしうるように嵌合するロック部材ガイド部７４とから成り、そのロック部材ガイド部７４は、上記ロック部材８２が上下方向に移動しうる縦向ガイド部７５と、その縦向ガイド部７５に対し上記ロック部材８２が横方向にスライドして嵌入することにより上記ロック部材８２の上下方向の移動を阻止しうる横向ガイド部７６，７７とを有している。
また、上記ロック部材ガイド部７４は、上記縦向ガイド部７５の上下２箇所に横向ガイド部７６，７７が形成されていて、その上側の横向ガイド部７６は、上記操作部材４１が下動する前の状態で上記ロック部材８２が嵌入することにより、上記支持部材４２に対し上記印鑑収納部材４４の下動を阻止しうるように形成され、又、下側の横向ガイド部７７は、上記操作部材４１が下動することにより上記朱肉保持部材４３が側方へ突出した状態で上記ロック部材８２が嵌入することにより、上記朱肉保持部材４３が側方へ突出した状態を固定しうるように形成されている。
また、上記ロック部材ガイド部７４は溝状又は孔状に形成されている。
また、上記ロック部材ガイド部７４は上記支持部材４２又は上記操作部材４１又は上記印鑑収納部材４４に形成されている。
また、上記ロック部材８２が上記ロック部材ガイド部７４における横向ガイド部７６，７７に位置する状態と、縦向ガイド部７５に位置する状態とで、それぞれ上記ロック部材８２を固定する係合部が設けられている。
また、上記係合部として、上記ロック部材ガイド部７４にリブ７８，７９，８０が形成されている。
【００５２】
上記印鑑ホルダー４０は、操作部材４１、支持部材４２、朱肉保持部材４３、印鑑収納部材４４、朱肉皿４５、朱肉４６、第１バネ４７、第２バネ４８、スライドコマ４９及び調整ネジ５０等を主な構成部品としている。そして、印鑑収納部材４４に印鑑５１（市販されているものを含む）を着脱自在としている。
【００５３】
上記操作部材４１は、図１９に示すように、上下両端が開口した筒状体で、その左右両側面の内面側にカム溝５２が形成されている。このカム溝５２は上下方向の縦溝部５３と、その下端から前面方向へ曲がった斜溝部５４とを有し、その縦溝部５３と斜溝部５４は連続している。また、前面の左右両端個所にスリット５５が形成されている。また、この操作部材４１には、図２１に示すように、その側面部に横長のロック部材取付孔７３が形成されている。
【００５４】
上記支持部材４２は、図２０に示すように、上下両端が開口した筒状体で、その左右の両側面に対向するようにカム孔５６が形成されている。このカム孔５６は上下方向の縦孔部５７と、その下端から後面方向へ円弧状に曲がったカーブ孔部５８とを有し、その縦孔部５７とカーブ孔部５８は連続している。また、左右の両側面の内面側には対向するように突起５９が設けられている。この突起５９は上記のカム孔５６よりも前方に偏して位置している。また、前面の下半部に開放窓部６０を有し、その開放窓部６０の上方位置における前面の左右両端にそれぞれスリット６１が形成されている。
【００５５】
また、上記支持部材４２には、図２０に示すように、その側面部における上半部に溝状のロック部材ガイド部７４が形成されている。このロック部材ガイド部７４は上下方向に長い縦向ガイド部７５と、その縦向ガイド部７５の上端と下端にそれぞれ連続して形成され、側方へ向う横向ガイド部７６，７７とから構成されている。また、縦向ガイド部７５と、横向ガイド部７６，７７とには、それぞれ上下方向のリブ７８，７９，８０が形成されている。
【００５６】
上記朱肉保持部材４３は、左右一対の回転腕６２を有し、その下端部どうしは朱肉皿載置台６３を介して連続している。左右の回転腕６２はそれぞれ上端中央部の外面側に突起６４が設けられるとともに、その突起６４の下方に縦長のガイド孔６５が穿設されている。なお、そのガイド孔６５は上記突起６４よりも前方に偏して位置している。
【００５７】
また、上記朱肉保持部材４３は、その朱肉皿載置台６３の上に朱肉皿４５を取り付けて、その朱肉皿４５に朱肉４６を収容している。なお、朱肉皿４５は朱肉保持部材４３に対し脱着自在である。
【００５８】
図１４に示すように、操作部材４１は支持部材４２の外側に上下方向へスライド自在に被着されている。なお、操作部材４１の上端に着脱自在なキャップ６６を具えている。
【００５９】
上記印鑑収納部材４４は下端を開口した筒状体で、その内面部に印鑑固定バネ（図は省略）を取り付けて、その内部に印鑑５１を保持している。また、印鑑収納部材４４の上端部には調整ネジ５０が取り付けられ、その調整ネジ５０の下端部は印鑑５１の頭部に接触している。キャップ６６の上面に設けた孔６７からドライバ等を挿入して、調整ネジ５０の上端面に設けた溝６８にドライバ等の先端部を差し込んで回転させれば、調整ネジ５０を上下方向へ移動させることができる。そして、調整ネジ５０を下降させれば、印鑑５１も調整ネジ５０に押されて下降するので、印鑑５１の印面６９の位置を調整することができる。
【００６０】
上記印鑑収納部材４４は上記支持部材４２の内側に、その支持部材４２に対し上下方向へスライド自在に組み付けられている。
【００６１】
また、図１４に示すように、上記印鑑収納部材４４は上端外周部にスライドコマ４９を上下方向へ一定ストロークだけスライド自在に組み付けている。このスライドコマ４９と印鑑収納部材４４の間には、２つのバネ、つまり、スライドコマ４９を上方へ付勢する第１バネ４７と、スライドコマ４９を逆に下方へ付勢する第２バネ４８を組み付けている。なお、第１バネ４７は第２バネ４８よりバネ力の強いものを使用している。したがって、組付時に、第１バネ４７は伸長状態となり、第２バネ４８は圧縮状態となっている。また、第１バネ４７の下端部は印鑑収納部材４４の外面に設けた溝７０に係合し、かつ、支持部材４２の上端面に当接している。また、上記スライドコマ４９は第１バネ４７のバネ力で、そのツバ部７１を操作部材４１の内面段部７２に当接させている。したがって、第１バネ４７により操作部材４１は支持部材４２に対し上方へ付勢されている。
【００６２】
上記朱肉保持部材４３は、その左右の回転腕６２を上記支持部材４２の左右両側面の内面側に位置させて、上記支持部材４２の内面に設けた上記突起５９をその回転腕６２に穿設したガイド孔６５に嵌入させ、又、回転腕６２の外面側に設けた上記突起６４を支持部材４２の上記カム孔５６を貫通させて操作部材４１の内面に設けた上記カム溝５２に嵌入させている。
【００６３】
非捺印時には、図１４に示すように、上記操作部材４１が上記支持部材４２に対し上昇している。このとき、朱肉保持部材４３に取り付けた上記朱肉皿４５が印鑑５１の下方を遮蔽し、かつ、印鑑５１の印面６９に朱肉４６が平行に接触している。
【００６４】
また、このとき、上記朱肉保持部材４３の突起６４は支持部材４２のカム孔５６における縦孔部５７の上端部を貫通して、操作部材４１のカム溝５２における斜溝部５４の下端部に位置するとともに、支持部材４２の突起５９が回転部材４３の回転腕６２に設けたガイド孔６５の下端部に位置している。
【００６５】
次に、図１５に示すように、上記支持部材４２の下端を紙面（図は省略）に接触させて、上記操作部材４１を下方へ押すと、上記スライドコマ４９が印鑑収納部材４４に対し一定ストロークだけ下降する。このとき、第１バネ４７は圧縮され、第２バネ４８は伸長する。また、このとき、外面に設けた溝７０に第１バネ４７の下端部を係合させた印鑑収納部材４４は下降せず、操作部材４１のカム溝５２における斜溝部５４の下端部の縁によって突起６４が下方へ押される朱肉保持部材４３だけが操作部材４１と一緒に下降する。したがって、朱肉保持部材４３に取り付けた朱肉皿４５に収容した朱肉４６は印鑑５１の印面６９に対し平行な姿勢で下降しながら印面６９から離れていく。また、このとき、朱肉保持部材４３の突起６４が操作部材４１のカム溝５２の縁によって押され、支持部材４２のカム孔５６における縦孔部５７の下端部まで移動するとともに、朱肉保持部材４３の下降に伴い支持部材４２の突起５９が朱肉保持部材４３のガイド孔６５の上端部へ移動する。
【００６６】
さらに、上記操作部材４１を下方へ押すと、図１６に示すように、上記スライドコマ４９が上記印鑑収納部材４４に当接して、印鑑収納部材４４も操作部材４１及びスライドコマ４９と一緒に支持部材４２に対し下降することになり、第１バネ４７は更に圧縮し、第２バネ４８は更に伸長する。また、第１バネ４７の下端部は印鑑収納部材４４の溝７０から脱出する。また、このとき、朱肉保持部材４３の突起６４は操作部材４１のカム溝５２における斜溝部５４と、支持部材４２のカム孔５６におけるカーブ孔部５８に沿って移動することになり、それに伴い朱肉保持部材４３が支持部材４２の突起５９を中心として回転し、朱肉保持部材４３及び朱肉皿４５は支持部材４２の開放窓部６０から外部へ突出する。なお、このとき、朱肉保持部材４３の回転腕６２は、操作部材４１の前面に設けたスリット５５と、支持部材４２の前面に設けたスリット６１を通過する。
【００６７】
さらに、上記操作部材１を下方へ押すと、図１７に示すように、朱肉保持部材４３の突起６４は操作部材４１のカム溝５２における斜溝部５４から縦溝部５３へ移動し、かつ、支持部材４２のカム孔５６におけるカーブ孔部５８の下端部まで到達して、朱肉保持部材４３の回転腕６２は操作部材４１に対し略９０度回転することになり、印鑑５１の下方が完全に開放する。
【００６８】
さらに、上記操作部材４１を下方へ押すと、図１８に示すように、朱肉保持部材４３の突起６４は操作部材４１のカム溝５２における縦溝部５３を上方へ移動し、印鑑収納部材４４は操作部材４１とともに下降する。そして、印鑑収納部材４４に保持された印鑑５１の印面６９が支持部材４２の下端開口から突出して紙面に捺印可能となる。
【００６９】
捺印終了後、操作部材４１に対する押下力を解除すると、上記の作動を逆に行なうことになる。すなわち、操作部材４１が上昇するとともに、朱肉保持部材４３が逆方向に回転して、朱肉保持部材４３及び朱肉皿４５は支持部材４２の内部へ没入し、それから、朱肉保持部材４３及び朱肉皿４５は操作部材４１とともに上昇して、再び朱肉４６を平行に印面６９に接触させる。
【００７０】
上記朱肉保持部材４３及び朱肉皿４５が操作部材４１とともに上昇するとき、第１バネ４７は伸長することになり、第２バネ４８は逆に圧縮することになる。そして、第１バネ４７の伸長するときの圧力は第２バネ４８の圧縮によって緩衝されるので、朱肉４６は穏やかに印鑑５１の印面６９に接触することになる。
【００７１】
上記ロック装置８１は、図２１に示すように、上記支持部材４２に形成されたロック部材ガイド部７４と、ロック部材８２とによって構成されている。そのロック部材８２は、上記操作部材４１に形成された上記ロック部材取付孔７３に装着されている。このロック部材取付孔７３は、上記ロック部材８２を、上記操作部材４１に対し、上下方向に略直角な横方向にのみスライドさせるように形成されている。
【００７２】
上記ロック部材８２は、図２３乃至図２５に示すように、外面部が操作部材４１の外に露出し、内端部が上記ロック部材ガイド部７４に嵌入している。
【００７３】
上記ロック部材８２が、図２４に示すように、上記ロック部材ガイド部７４における縦向ガイド部７５に位置するときは、上記支持部材４２に対し上記操作部材４１は上下方向へスライドすることができる。
【００７４】
また、上記ロック部材８２が、図２３に示すように、上記ロック部材ガイド部７４における横向ガイド部７６，７７に位置するときは、上記支持部材４２に対し上記操作部材４１は上下方向へスライドすることができない。
【００７５】
また、上記ロック部材８２が上記横向ガイド部７６，７７に位置するときは、そのロック部材８２の底面に形成された凹部８３が上記のリブ７９，８０に係合し、又、上記ロック部材８２が上記縦向ガイド部７５に位置するときは、上記凹部８３が上記リブ７８に係合している。なお、上記ロック部材８２の凹部８３が上記リブ７８、７９，８０に係合する際に「カチッ」というクリック音が発生する。
【００７６】
上記ロック部材８２は、図１４に示すように上記操作部材４１が下動する前の状態で、図２１に示すように、上記ロック部材ガイド部７４の縦向ガイド部７５の上端に連続するように設けた横向ガイド部７６に嵌入することができるように、その横向ガイド部７６の位置が設定されている。
【００７７】
また、上記ロック部材８２は、図１８に示すように上記操作部材４１が下動することにより上記朱肉保持部材４３が回転して側方へ突出した状態で、図２２に示すように、上記ロック部材ガイド部７４の縦向ガイド部７５の下端に連続するように設けた横向ガイド部７７に嵌入することができるように、横向ガイド部７７の位置が設定されている。
【００７８】
図１４の状態で、上記ロック部材８２を非ロック状態（上記ロック部材８２を上記ロック部材ガイド７４における縦向ガイド部７５に位置させた状態）にして、上記支持部材４２の下端面を捺印する用紙に当接し、上記操作部材４１を下方へ押すと、最終的に、図１８に示すように、上記朱肉保持部材４３が側方へ突出するとともに、上記印鑑収納部材４４が下動して、印鑑５１の印面６９が用紙に接触して捺印が可能となる。
【００７９】
これに対し、上記操作部材４１が下動する前の状態で、上記操作部材４１を上記支持部材４２に対しロックして（上記ロック部材８２をロック部材ガイド部７４における縦向ガイド部７５の上端に連続するように設けた横向ガイド部７６に嵌入させた状態にする）固定すると、上記支持部材４２に対し上記操作部材４１が下方へスライドすることができなくなる。したがって、上記印鑑収納部材４４も下方へスライドすることができず、その印鑑収納部材４４に保持された印鑑５１の印面６９が露出しないので、その印面６９に付着したインクにより衣服、用紙等が汚れることがない。
【００８０】
また、上記ロック部材８２は、上記操作部材４１が下動することにより上記縦向ガイド部７５の下方へ移動するが、上記朱肉保持部材４３が回転して図１８に示すように側方へ突出した状態で、上記ロック部材ガイド部７４における縦向ガイド部７５の下端に連続するように設けた横向ガイド部７７へ嵌入させることにより、再び上記操作部材４１を上記支持部材４２に対しロックして固定することができる。この状態では、上記朱肉保持部材４３も上記操作部材４１及び上記支持部材４２の外部側方へ突出した状態を固定されるので、上記朱肉保持部材４３から上記朱肉皿４５を取り外しやすくなる。したがって、朱肉４６の交換や、朱肉４６に対するインク補充等が容易になる。
【００８１】
なお、上記実施形態では、上記ロック装置８１におけるロック部材ガイド部７４を支持部材４２に設けているが、操作部材４１や印鑑収納部材４４に設けることも可能であり、その他の実施形態について図２６乃至図３１に示した概念図により説明する。
【００８２】
まず、図２６に示した実施形態では、操作部材４１にロック部材ガイド部７４が設けられ、支持部材４２と操作部材４１とがロック部材８２により固定可能とされている。なお、ロック部材ガイド部７４は、溝ではなく孔により形成している。
【００８３】
図２７に示した実施形態では、操作部材４１と支持部材４２の両方にロック部材ガイド部７４が設けられ、支持部材４２と操作部材４１と印鑑収納部材４４とがロック部材８２により固定可能とされている。
【００８４】
図２８に示した実施形態では、支持部材４２にロック部材ガイド部７４が設けられ、支持部材４２と操作部材４１とがロック部材８２により固定可能とされている。
【００８５】
図２９に示した実施形態では、印鑑収納部材４４と支持部材４２の両方にロック部材ガイド部７４が設けられ、操作部材４１と支持部材４２と印鑑収納部材４４とがロック部材８２により固定可能とされている。
【００８６】
図３０に示した実施形態では、印鑑収納部材４４にロック部材ガイド部７４が設けられ、印鑑収納部材４４と支持部材４２がロック部材８２により固定可能とされている。なお、操作部材４１には上下方向に長い窓孔８４が形成されている。
【００８７】
図３１に示した実施形態では、支持部材４２にロック部材ガイド部７４が設けられ、印鑑収納部材４４と支持部材４２がロック部材８２により固定可能とされている。なお、操作部材４１には上下方向に長い窓孔８４が形成されている。
【００８８】
ところで、上記請求項２記載の印鑑ホルダーに係る実施形態では、上記朱肉保持部材が側方へ突出した状態だけをロック装置により固定することができる。この場合、そのロック装置の構成は自由であり、上記実施形態のように、上記ロック部材と、上記ロック部材ガイド部とにより構成されるものに限定されない。もちろん、上記ロック部材と、上記ロック部材ガイド部とによりロック装置を構成することも可能であるが、その場合、上記縦向ガイド部には、その下端部にのみ上記横向ガイド部を連続して設けた構成にすることができる。また、その他のロック装置としては、例えば、上記朱肉保持部材が側方へ突出した状態のときに、ボルト等のネジ状部材の先端部を支持部材に当接させて、その支持部材を操作部材に対し固定するもの、或いは、上記朱肉保持部材が側方へ突出した状態のときに、その朱肉保持部材にフック状部材を係止させて固定するようなものが実施可能である。
【００８９】
【発明の効果】
請求項１記載の本発明の印鑑ホルダーは、上記印鑑収納部材が意に反して下動することがなくなるので、印鑑の印面により衣服や用紙が汚れるのを防止することができる。また、ロック装置はスライド操作により作動するので、誤動作が起こりにくくなる。
また、請求項２記載の本発明の印鑑ホルダーは、上記朱肉保持部材が側方へ突出した状態をロック装置により固定できるので、朱肉の交換や、朱肉に対するインク補充が容易になる。
また、請求項３記載の本発明の印鑑ホルダーは、上記朱肉保持部材が側方へ突出した状態をロック装置により固定できるので、朱肉の交換や、朱肉に対するインク補充が容易になるとともに、上記印鑑収納部材が意に反して下動することがなくなるので、印鑑の印面により衣服や用紙が汚れるのを防止することができる。
また、請求項４記載の本発明の印鑑ホルダーは、上記ロック装置が、ロック部材と、そのロック部材がスライドしうるように嵌合するロック部材ガイド部とから構成されるので、製作が容易で、コストを低減することができる。
また、請求項５記載の本発明の印鑑ホルダーは、縦向ガイド部の上下両端に横向ガイド部を設けることにより、操作部材が下動する前の状態と、朱肉保持部材が側方へ突出した状態とを容易にロックすることができ、ロック装置を２つ設ける必要がなく、部品点数の増加を防止して製造コストを低減することができる。
また、請求項６記載の本発明の印鑑ホルダーは、ロック部材ガイド部が溝状なので、ロック部材ガイド部の形成が容易である。
また、請求項７記載の本発明の印鑑ホルダーは、ロック部材ガイド部が孔状なので、同じく、ロック部材ガイド部の形成が容易である。
また、請求項８記載の本発明の印鑑ホルダーは、ロック部材ガイド部が支持部材に形成されているので、操作部材の内部に隠れて見栄えが良い。
また、請求項９記載の本発明の印鑑ホルダーは、ロック部材ガイド部が操作部材に形成されているので、ロック状態の確認が容易である。
また、請求項１０記載の本発明の印鑑ホルダーは、ロック部材ガイド部が印鑑収納部材に形成されているので、支持部材の内部に隠れて見栄えが良い。
また、請求項１１記載の本発明の印鑑ホルダーは、ロック部材がロック部材ガイド部における横向ガイド部に位置する状態と、縦向ガイド部に位置する状態とで、それぞれ上記ロック部材を固定する係合部が設けられたので、ロック部材が確実に固定して誤動作しにくくなる。
また、請求項１２記載の本発明の印鑑ホルダーは、係合部として、上記ロック部材ガイド部にリブが形成されたので、係合部の形成が容易である。
【図面の簡単な説明】
【図１】
操作部材が下動する前の状態を示す断面図である。
【図２】操作部材が下動して朱肉保持部材が側方へ突出した状態を示す断面図である。
【図３】操作部材の側面図である。
【図４】支持部材の側面図である。
【図５】操作部材が下動する前の状態を示す側面図である。
【図６】操作部材が下動して朱肉保持部材が側方へ突出した状態を示す側面図である。
【図７】図５のａ−ａ線断面図である。
【図８】ロック部材を縦向ガイド部へ嵌入した状態の断面図である。
【図９】図５のｂ−ｂ線断面図である。
【図１０】ロック装置の実施形態を示す概念図である。
【図１１】ロック装置の実施形態を示す概念図である。
【図１２】ロック装置の実施形態を示す概念図である。
【図１３】ロック装置の実施形態を示す概念図である。
【図１４】操作部材が下動する前の状態を示す断面図である。
【図１５】操作部材が若干下動した状態を示す断面図である。
【図１６】朱肉保持部材が若干側方へ突出した状態を示す断面図である。
【図１７】朱肉保持部材が略９０度回転して側方へ突出した状態を示す断面図である。
【図１８】印鑑により捺印可能となった状態を示す断面図である。
【図１９】操作部材の断面図である。
【図２０】支持部材の断面図である。
【図２１】操作部材が下動する前の状態を示す側面図である。
【図２２】印鑑により捺印可能となった状態を示す側面図である。
【図２３】図２１のｃ−ｃ線断面図である。
【図２４】ロック部材を縦向ガイド部へ嵌入した状態の断面図である。
【図２５】図２１のｄ−ｄ線断面図である。
【図２６】ロック装置の実施形態を示す概念図である。
【図２７】ロック装置の実施形態を示す概念図である。
【図２８】ロック装置の実施形態を示す概念図である。
【図２９】ロック装置の実施形態を示す概念図である。
【図３０】ロック装置の実施形態を示す概念図である。
【図３１】ロック装置の実施形態を示す概念図である。
【符号の説明】
１  操作部材
２  ロック部材取付孔
３  支持部材
４  ロック部材ガイド部
５  縦向ガイド部
６  横向ガイド部
７  横向ガイド部
８  リブ
９  リブ
１０  リブ
１１  窓孔
１２  朱肉保持部材
１３  朱肉
１４  コイルバネ
１５  印鑑収納部材
１６  歯部
１７  歯部
１８  板バネ
１９  印鑑
２０  調節ネジ
２１  フック部
２２  フック部
２３  可動ネジ
２４  溝
２５  印面
２６  朱肉皿部
２７  歯部
２８  歯部
２９  軸
３０  ロック装置
３１  ロック部材
３２  凹部
３３  紙面
３４ａ  窓孔
３４ｂ  窓孔
３５  印鑑ホルダー
４０  印鑑ホルダー
４１  操作部材
４２  支持部材
４３  朱肉保持部材
４４  印鑑収納部材
４５  朱肉皿
４６  朱肉
４７  第１バネ
４８  第２バネ
４９  スライドコマ
５０  調整ネジ
５１  印鑑
５２  カム溝
５３  縦溝部
５４  斜溝部
５５  スリット
５６  カム孔部
５７  縦孔部
５８  カーブ孔部
５９  突起
６０  窓部
６１  スリット
６２  回転腕
６３  朱肉皿載置台
６４  突起
６５  ガイド孔
６６  キャップ
６７  孔
６８  溝
６９  印面
７０  溝
７１  ツバ部
７２  内面段部
７３  ロック部材取付孔
７４  ロック部材ガイド部
７５  縦向ガイド部
７６  横向ガイド部
７７  横向ガイド部
７８  リブ
７９  リブ
８０  リブ
８１  ロック装置
８２  ロック部材
８３  凹部
８４  窓孔
【図１】
2004284031.tif 000003
【図２】
2004284031.tif 000004
【図３】
2004284031.tif 000005
【図４】
2004284031.tif 000006
【図５】
2004284031.tif 000007
【図６】
2004284031.tif 000008
【図７】
2004284031.tif 000009
【図８】
2004284031.tif 000010
【図９】
2004284031.tif 000011
【図１０】
2004284031.tif 000012
【図１１】
2004284031.tif 000013
【図１２】
2004284031.tif 000014
【図１３】
2004284031.tif 000015
【図１４】
2004284031.tif 000016
【図１５】
2004284031.tif 000017
【図１６】
2004284031.tif 000018
【図１７】
2004284031.tif 000019
【図１８】
2004284031.tif 000020
【図１９】
2004284031.tif 000021
【図２０】
2004284031.tif 000022
【図２１】
2004284031.tif 000023
【図２２】
2004284031.tif 000024
【図２３】
2004284031.tif 000025
【図２４】
2004284031.tif 000026
【図２５】
2004284031.tif 000027
【図２６】
2004284031.tif 000028
【図２７】
2004284031.tif 000029
【図２８】
2004284031.tif 000030
【図２９】
2004284031.tif 000031
【図３０】
2004284031.tif 000032
【図３１】
2004284031.tif 000033